(57)【要約】【課題】ＯＡ機器類を盗難から未然に防ぐと共に、他の物品の出し入れを容易とすることができることで、使い勝手の良い車載用事務机ボックスを提供する。【解決手段】車載用事務机ボックス１０は、正面開口部１１を有するボックス本体１２と、ボックス本体１２内に設けられた物品収納部１５と、ボックス本体１２の上面に形成された机状部１６と、ボックス本体１６に設けられたシートベルト係合部１８とを備えている。物品収納部１５には、正面開口部１１の下部に配置されたガード部材および扉板２８と、物品収納部１５の下側を遮蔽空間Ｓ１とすると共に、上側を他の物品の載置空間Ｓ２として区画する載置板２６とを備えた遮蔽部２４が設けられている。この載置板２６を物品収納部１５から抜き取り、机状部１６の後部の隙間に嵌め込むことで、照明装置２９による照光が得られるので明るい作業環境で、パソコンＰの入力作業などができる。【選択図】図５
2012035687.tif 000002
【特許請求の範囲】
【請求項１】
物品出し入れ用の正面開口部を有する箱体状のボックス本体と、前記ボックス本体内に設けられた物品収納部と、前記ボックス本体の上面に形成された机状部と、前記ボックス本体に設けられたシートベルト係合部とを備えた車載用事務机ボックスにおいて、
前記物品収納部には、前記正面開口部から物品を遮蔽するための遮蔽部が設けられ、
前記遮蔽部は、前記正面開口部の下部に配置された前面板と、前記前面板の上端から前記物品収納部の奥行き方向に延び、前記物品収納部の下側を遮蔽空間とすると共に、上側を他の物品の載置空間として区画する載置板とを備えていることを特徴とする車載用事務机ボックス。
【請求項２】
前記机状部の後部には、前記載置板を前記物品収納部から抜き取り、前記前面板とは反対側となる前記載置板の端部を嵌め込み、前記載置板を立設するための隙間が設けられ、
前記前面板の裏面側には、前記机状部を照光する照明装置が設けられている請求項１記載の車載用事務机ボックス。
【請求項３】
前記前面板は、前記ボックス本体の正面開口部の下端に固定され、前記遮蔽空間に収納された物品の離脱を防止するガード部材と、前記載置板の前端に固定され、前記ガード部材と合わさることで前記遮蔽空間に収納された物品を遮蔽する扉板とにより形成されている請求項１または２記載の車載用事務机ボックス。
【請求項４】
前記ボックス本体内には、前記載置板の前後方向のスライドを案内するガイド部材が設けられている請求項１から３のいずれかの項に記載の車載用事務机ボックス。
【請求項５】
前記遮蔽部の側面と前記ボックス本体の側面とに、前記遮蔽部を前記ボックス本体内に収納した状態で互いに同軸上に位置する棒状部材を挿入する孔が形成されている請求項１から４のいずれかの項に記載車載用事務机ボックス。
【発明の詳細な説明】
【技術分野】
【０００１】
本発明は、自動車の室内において、ｉＰａｄ（商標）やノートブック型等のパーソナルコンピュータ、ハンドヘルド端末装置、ＰＤＡ（Personal Digital Assistant）などのＯＡ機器類や各種書類を収納したり、事務作業を行う際に使用したりする車載用事務机ボックスに関するものである。
【背景技術】
【０００２】
自動車で移動することの多い営業マンや自営業者などは、必要に応じてノートブック型のパーソナルコンピュータなどのＯＡ機器類を自動車に載せて移動している人が多いが、自動車の室内には、これらのＯＡ機器類を収納するのに適した場所が少ないので、車内に持ち込んだＯＡ機器類を、空いた座席上や床面上などに置いている場合が多い。
しかし、カーブ走行中の遠心力あるいは急発進や急ブレーキ時の慣性力によってＯＡ機器類が勝手に移動したり、座席から落下したりすることがあるので、様々な不都合が生じている。
例えば、特許文献１には、内部が物品収納部となり、上面が机状部となるボックス本体と、ボックス本体から出し入れ可能な補助机状部と、ボックス本体に隣接して設けられた上面開口部を有する補助収納箱と、ボックス本体と補助収納箱との接合部に設けられたシートベルト係合部とを備えた事務机ボックスが記載されている。この事務机ボックスは、自動車の助手席シートに載置しシートベルトでシートベルト係合部に保持させて使用するものである。
【先行技術文献】
【特許文献】
【０００３】
【特許文献１】特許３４０６２６２号公報
【発明の概要】
【発明が解決しようとする課題】
【０００４】
このような事務机ボックスであれば、急停止したときでも、カーブを曲がったときでも、載置した状態を安定的に維持させることができる。
しかし、この特許文献１に記載の事務机ボックスについても、更なる改良が望まれている。それは、高価なＯＡ機器類を物品収納部に収納した状態で車外へ出ているときに、悪意のある者に、車のドアを解錠されたり、窓を壊されたりして、物品収納部に収納したＯＡ機器類を開口部から取り出し、持ち去られてしまうおそれがある。
開口部に蓋をして、外側から見えなくすればよいが、それでは、物品収納部に収納したＯＡ機器類以外の物品の出し入れが不便である。
【０００５】
そこで本発明は、ＯＡ機器類を盗難から未然に防ぐと共に、他の物品の出し入れを容易とすることができることで、使い勝手の良い車載用事務机ボックスを提供することを目的とする。
【課題を解決するための手段】
【０００６】
本発明は、物品出し入れ用の正面開口部を有する箱体状のボックス本体と、前記ボックス本体内に設けられた物品収納部と、前記ボックス本体の上面に形成された机状部と、前記ボックス本体に設けられたシートベルト係合部とを備えた車載用事務机ボックスにおいて、前記物品収納部には、前記正面開口部から物品を遮蔽するための遮蔽部が設けられ、前記遮蔽部は、前記正面開口部の下部に配置された前面板と、前記前面板の上端から前記物品収納部の奥行き方向に延び、前記物品収納部の下側を物品の遮蔽空間とすると共に、上側を他の物品の載置空間として区画する載置板とを備えていることを特徴とする。
【０００７】
本発明の車載用事務机ボックスには、物品収納部には、正面開口部から物品を遮蔽するための遮蔽部が設けられている。この遮蔽部は、正面開口部の下部に配置された前面板と、前記前面板の上端から前記物品収納部の奥行き方向に延びる載置板とを備えていることで、物品収納部の下側を物品の遮蔽空間としているので、外部から遮蔽空間に物品が格納されていることが観察できない。従って、悪意のある者が車内を覗き込んでも、遮蔽空間に収納された物品の存在に気が付かないので、盗難を未然に防ぐことができる。この載置板は、物品収納部の下側を物品の遮蔽空間とするだけでなく、上側を物品の載置空間とに区画しているので、載置板の上に他の物品を置いておくことで、他の物品を開口部から容易に収納したり取り出したりすることができる。
【０００８】
前記机状部の後部には、前記載置板を前記物品収納部から抜き取り、前記前面板とは反対側となる前記載置板の端部を嵌め込み、前記載置板を立設するための隙間が設けられ、前記前面板の裏面側には、前記机状部を照光する照明装置が設けられているのが望ましい。
物品としてのパソコンを収納空間から取り出し、机状部に載置して作業をするときに、載置板を前記物品収納部から抜き取り、前記前面板とは反対側となる前記載置板の端部を机状部の後部の隙間に嵌め込むことで、載置板を立設することができる。そして、前面板の裏面側に設けられた照明装置により机状部を照光することで、明るい作業環境でパソコンの入力をしたり、伝票を書いたりすることができる。
【０００９】
前記前面板は、前記ボックス本体の正面開口部の下端に固定され、前記遮蔽空間に収納された物品の離脱を防止するガード部材と、前記載置板の前端に固定され、前記ガード部材と合わさることで前記遮蔽空間に収納された物品を遮蔽する扉板とにより形成されているのが望ましい。
開口部にガード板が設けられていることで、自動車走行中に発生する遠心力や慣性力による物品の離脱を防止することができる。
【００１０】
前記ボックス本体内には、前記載置板の前後方向のスライドを案内するガイド部材が設けられていることにより、載置板をスライドさせて、容易に入れたり引き抜いたりすることができる。
【００１１】
前記遮蔽部の側面と前記ボックス本体の側面とに、前記遮蔽部を前記ボックス本体内に収納した状態で互いに同軸上に位置する棒状部材を挿入する孔が形成されているのが望ましい。
遮蔽部の側面と前記ボックス本体の側面とに設けられた孔に棒状部材を挿入しておけば、載置板がボックス本体から引き出せないため、遮蔽空間に格納された物品を取り出して盗んでいくことを防止することができる。
【発明の効果】
【００１２】
本発明の車載用事務机ボックスは、悪意のある者が車内を覗き込んでも、遮蔽空間に収納された物品の存在に気が付かないので、盗難を未然に防ぐことができる。また、載置板が、物品収納部の下側を物品の遮蔽空間とするだけでなく、上側を物品の載置空間とに区画しているので、載置板の上に他の物品を置いておくことで、他の物品を開口部から容易に収納したり取り出したりすることができる。よって、本発明の車載用事務机ボックスは、物品を盗難から未然に防ぐと共に、他の物品の出し入れを容易とすることができることで、使い勝手の良いものとすることができる。
【図面の簡単な説明】
【００１３】
【図１】実施の形態である事務机ボックスを示す斜視図である。
【図２】図１に示す事務机ボックスの補助机状部を引き出した状態を示す斜視図である。
【図３】図１に示す事務机ボックスの平面図である。
【図４】図１に示す事務机ボックスの補助机状部を引き出し、遮蔽部を立設した状態を示す斜視図である。
【図５】図３に示す事務机ボックスのＡ−Ａ線断面図である。
【図６】図１に示す事務机ボックスの右側面図である。
【図７】図１に示す事務机ボックスの使用状態を示す斜視図である。
【発明を実施するための形態】
【００１４】
以下、本発明の実施の形態を図面に基づいて説明する。
図１から図４に示すように、本実施の形態の係る事務机ボックス１０には、正面開口部１１を有する箱体状のボックス本体１２に隣接して、上面開口部１３を有する補助収納箱１４が配置されている。ボックス本体１２内には、物品を収納するための物品収納部１５が設けられている。
ボックス本体１２の上面には、書籍やノート、伝票などを広げたり、パソコンなどを載置するための机状部１６が形成されている。この机上部１６の後部には、ボックス本体１２の背面部１２ａと、一対の側板１２ｂに両端部が支持された支持板１２ｃとにより、隙間１６ａが後端部に沿って設けられている。
ボックス本体１０内の物品収納部１５の上部には、平板状の補助机状部１７が設けられている。この補助机状部１７は、物品収納部１５の内側面の上部に奥行き方向に沿って設けられたスライダ１７ａにより、ボックス本体１２から水平方向に出し入れ可能である。
【００１５】
ボックス本体１２と補助収納箱１４との接合部には、自動車内に装備されたシートベルトを引っ掛けるためのシートベルト係合部１８が設けられている。このシートベルト係合部１８は、ボックス本体１２の側面と補助収納箱１４の側面と間の上部に凹部をつくるための連結板１９により形成されている。
机状部１６および補助机状部１７には、補助机状部１７をボックス本体１２内に収納した状態で互いに同軸上に位置する筆記具挿入孔２０，２１が形成されている。補助机状部１７の前縁部分には、手先が挿入可能な把持孔２２が形成されている。机状部１６の表面には、車の移動に伴って物品が机状部１６から滑落することを防止するための滑り止め用のシート材２３を貼着しておくことができる。
【００１６】
この事務机ボックス１０には、物品収納部１５に収納した物品を外部から遮蔽する遮蔽部２４は設けられている。ここで遮蔽部２４について図５および図６に基づいて詳細に説明する。
図５および図６に示すように、遮蔽部２４は、正面開口部１１の下部に配置された前面板２５と、前面板２５の上端から物品収納部１５の奥行き方向に延び、物品収納部１５の下側を物品の遮蔽空間Ｓ１とすると共に、上側を他の物品の載置空間Ｓ２として区画する載置板２６とを備えている。
前面板２５は、ボックス本体１２の正面開口部１１の下端に固定され、遮蔽空間Ｓ１に収納された物品の離脱を防止するガード部材２７と、載置板２６の前端に固定され、ガード部材２７と合わさることで遮蔽空間Ｓ１に収納されたパソコンなどのＯＡ機器類を遮蔽する扉板２８とにより分割されて形成されている。
【００１７】
また、前面板２５の扉板２８の裏面側には、机状部１６を照光する照明装置２９が設けられている。本実施の形態では、照明装置２９を乾電池で点灯するＬＥＤ照明装置としている。
載置板２６は、物品収納部１５を囲む一対の側板と奥側に位置する後板とに、載置板２６が底面を摺動しながら移動する際に、載置板２６の前後方向のスライドを案内するガイド部材として機能する支持部材３０が設けられている。
【００１８】
載置板２６と扉板２８との両端部には、側面視Ｌ字状に接続された載置板２６と扉板２８との接続強度を向上させるために、略三角形状に形成された補強板３１が設けられている。この補強板３１には、遮蔽部２４がボックス本体１２内に収納したときに、ボックス本体の側板１２ｂの前部に設けられた孔３２と同軸に位置する孔３３が設けられている。この孔３２，３３に、鉛筆などの棒状部材（図示せず）を挿入することで、載置板２６の移動を規制することができる。また、補強板３１とは反対側となる載置板２６の端部には、載置板２６を机状部１６の後部の隙間１６ａに差し込み立設したときに、側板１２ｂの後部に縦列に設けられた４つの孔３４のうちのいずれかの孔と同軸に位置させ、棒状部材を挿入して、載置板２６の固定と高さ位置の調整とを行うための孔３５が設けられている。
【００１９】
以上のように構成された本発明の実施の形態に係る事務机ボックス１０の使用状態について、図面に基づいて説明する。
事務机ボックス１０を使用する場合、図７に示すように、事務机ボックス１０を自動車の助手席シート４０に載置し、車内に装備されているシートベルト４１をシートベルト係合部１８に係合させるだけで装着が完了する。
【００２０】
不使用時には、シートベルト４１をシートベルト係合部１８から離脱させれば、自動車から持ち出し可能であるが、事務机ボックス１０を車内に残して、使用者が車外へ離れる場合には、図４および図５に示すように、ＯＡ機器類の一例であるパソコンＰなどは、遮蔽空間Ｓ１に格納しておくことができる。また、書類などは、載置板２６の上である載置空間Ｓ２にも、書類や他の物品の収納が可能であり、正面開口部１１を通じて出し入れが可能である。更に、書類を、上面開口部１３から補助収納箱１４に収納することも可能である（図１参照）。
【００２１】
パソコンＰを遮蔽空間Ｓ１に格納しておくと、遮蔽部２４によりパソコンＰが車外から観察できない。従って、悪意のある者が車内を覗き込んでも、遮蔽空間Ｓ１に収納されたパソコンＰなどの物品の存在に気が付かないので、盗難を未然に防ぐことができる。
また、図６に示すボックス本体１２の側面に設けられた孔３２から補強板３１に設けられた孔３３に棒状部材を挿通させておくことで、悪意ある者が窓ガラスを割って、パソコンＰを取り出そうとしても、簡単には遮蔽部２４を取り外すことができないので、盗難されるまでの時間を要することで盗難の抑止効果がある。
【００２２】
図７に示す机状部１６に、滑り止め用のシート材２３を貼着しておけば、この上に載置した電卓４２や携帯電話４３など物品が、自動車走行中の振動や揺動などによって移動、落下するのを防止することができる。机状部１６および補助机状部１７に形成されている筆記具挿入孔２２，２３は鉛筆４４などの筆記具立てとして利用できるため利便性に優れており、互いに同軸上に位置する状態で筆記具挿入孔２２，２３に鉛筆４４や棒状体を挿入することにより、補助机状部１７の移動が阻止されるので、走行中、不用意に補助机状部１７が突出するのを防止することができる。
【００２３】
ボックス本体１２の正面開口部１１の下方にはガード部材２０が設けられているため、物品収納部１５に収納されたパソコンなどのＯＡ機器類や各種物品が、自動車走行中に発生する遠心力や慣性力によって離脱するのを防止することができる。
【００２４】
ＯＡ機器類の使用や筆記作業は、ボックス本体１２上面の机状部１６あるいはボックス本体１２から引き出した補助机状部１７で行うことができる。このとき、物品収納部１５から取り外した遮蔽部１４の載置板２６の端部を、照明装置２９が机上部１６側へ向くように、ボックス本体１２の天板である机上部１６の後部に設けられた隙間１６ａに嵌め込み、載置板２６を机状部１６に対して立設する。そして、載置板２６の孔３５と、側板１２ｂの後部に縦列に設けられた４つの孔３４のうちのいずれかの孔とに、棒状部材を挿入して、載置板２６を固定すると共に、高さ位置の調整を行う。そうすることで、前面板２５の扉板２８の裏面側に設けられた照明装置２９により机状部１６を照光することで、明るい作業環境でパソコンＰの入力をしたり、伝票を書いたりすることができる。また、載置板２６の高さ位置を調整することで、照明装置２９と机状部１６との間の距離を調整することができるので、照明装置２９の明るさ調整を行うことができる。
【００２５】
扉板２８の裏面に照明装置２９から光を反射する反射部材を設けると、より一層明るい作業環境とすることができる。
照明装置２９をＬＥＤ照明装置とすることで、消費電力が少なく乾電池で点灯させることができるため、シガレットライターソケットから電源を取る必要がない。従って、ケーブルの配線により周囲が雑然としてしまうことを防止することができると共に、遮蔽部２４の抜き取り操作を簡単なものとすることができる。
【００２６】
このように、事務机ボックス１０は、自動車内への着脱が極めて容易で、ＯＡ機器類や書類などを効率良く収納することが可能であり、ＯＡ機器類を使用するときや筆記作業を行うときは机状部１６や補助机状部１７を利用することができ、ＯＡ機器類を使用しないときには、隠すことができるので利便性に優れている。
【産業上の利用可能性】
【００２７】
本発明の事務机ボックスは、自営業や運送業、営業、配送などの会社員の他、介護ヘルパー、レンタカー利用の出張中の会社員等、車内でのパソコン操作や見積書、請求書、納品書などの伝票、報告書、提案書の記入などが必要な場合に好適である。
【符号の説明】
【００２８】
１０  事務机ボックス
１１  正面開口部
１２  ボックス本体
１２ａ  背面部
１２ｂ  側板
１２ｃ  支持板
１３  上面開口部
１４  補助収納箱
１５  物品収納部
１６  机状部
１６ａ  隙間
１７  補助机状部
１７ａ  スライダ
１８  シートベルト係合部
１９  連結板
２０，２１  筆記具挿入孔
２２  把持孔
２３  シート材
２４  遮蔽部
２５  前面板
２６  載置板
２７  ガード部材
２８  扉板
２９  照明装置
３０  支持部材
３１  補強板
３２，３３，３４  孔
Ｓ１  遮蔽空間
Ｓ２  載置空間
４０  助手席シート
４１  シートベルト
４２  電卓
４３  携帯電話
４４  鉛筆
【図１】
2012035687.tif 000003
【図２】
2012035687.tif 000004
【図３】
2012035687.tif 000005
【図４】
2012035687.tif 000006
【図５】
2012035687.tif 000007
【図６】
2012035687.tif 000008
【図７】
2012035687.tif 000009